(57)【要約】    【課題】  画像信号の高解像度化に際して網点判定部の汎用性を向上させることができる画像処理装置及び方法、並びにプログラム及び記憶媒体を提供する。    【解決手段】  画像処理装置の網点判定ユニットは、画像信号が入力される空間フィルタ１０１と、空間フィルタ１０１に接続されたメモリコントローラ１０２と、メモリコントローラ１０２に接続された後述する図２の網点判定部１０４とを備える。網点判定部１０４は、画像信号が入力される間引き処理部２０１と、間引き処理部２０１に接続された低線用網点判定部２０２と、間引き処理部２０１に接続された高線用網点判定部２０３とを備える。間引き処理部２０１は、網点判定部１０４が通常の解像度で機能している網点判定処理に対し、通常の整数倍の解像度の画像信号が入力した際に、網点判定パターンの面積、判定基準を変えずに位置のみを変えて判定することにより、１つのアルゴリズム、判定回路で複数の解像度をもつ画像に対して網点判定処理を行えるようにするためのものである。【選択図】      図２
2006157456.tif 000002
【特許請求の範囲】
【請求項１】
所定の解像度の入力画像信号の各画素信号を２値化するフィルタと、前記２値化された各画素信号のうちの注目画素が網点領域を構成するか否かを所定の網点判定パターンを用いて判定する網点判定手段とを備える画像処理装置において、
前記網点判定手段は、前記入力画像信号の解像度に基づいて前記２値化された各画素信号に間引き処理を行う間引き手段と、前記注目画素の座標位置に関して前記間引き処理が行われた画素信号に対して前記所定の網点判定パターンを用いた判定を行う判定手段を備えることを特徴とする画像処理装置。
【請求項２】
前記網点判定手段は、さらに、前記２値化された各画像信号に対して前記所定の網判定パターンを用いた判定を行う他の判別手段をさらに備えることを特徴とする請求項１に記載の画像処理装置。
【請求項３】
前記所定の網点判定パターンは、低線用網点判定パターン又は高線用網点判定パターンから成ることを特徴とする請求項１又は２記載の画像処理装置。
【請求項４】
所定の解像度の入力画像信号の各画素信号を２値化するフィルタと、前記２値化された各画素信号のうちの注目画素が網点領域を構成するか否かを所定の網点判定パターンを用いて判定する網点判定手段とを備える画像処理装置において、
前記網点判定手段は、前記注目画素に関して前記２値化された各画素信号に対して前記所定の網点判定パターンを用いた判定を行い、次いで、前記注目画素に隣接した画素に関して前記２値化された各画素信号に対して前記所定の網点判定パターンを用いた判定を行うことを特徴とする画像処理装置。
【請求項５】
所定の解像度の入力画像信号の各画素信号を２値化するフィルタリングステップと、前記２値化された各画素信号のうちの注目画素が網点領域を構成するか否かを所定の網点判定パターンを用いて判定する網点判定ステップとを備える画像処理方法において、
前記網点判定ステップは、前記入力画像信号の解像度に基づいて前記２値化された各画素信号に間引き処理を行う間引きステップと、前記注目画素の座標位置に関して前記間引き処理が行われた画素信号に対して前記所定の網点判定パターンを用いた判定を行う判定ステップを備えることを特徴とする画像処理方法。
【請求項６】
前記網点判定ステップは、さらに、前記２値化された各画像信号に対して前記所定の網判定パターンを用いた判定を行う他の判別ステップをさらに備えることを特徴とする請求項５に記載の画像処理ステップ。
【請求項７】
前記所定の網点判定パターンは、低線用網点判定パターン又は高線用網点判定パターンから成ることを特徴とする請求項５又は６記載の画像処理方法。
【請求項８】
所定の解像度の入力画像信号の各画素信号を２値化するフィルタリングステップと、前記２値化された各画素信号のうちの注目画素が網点領域を構成するか否かを所定の網点判定パターンを用いて判定する網点判定ステップとを備える画像処理方法において、
前記網点判定ステップは、前記注目画素に関して前記２値化された各画素信号に対して前記所定の網点判定パターンを用いた判定を行い、次いで、前記注目画素に隣接した画素に関して前記２値化された各画素信号に対して前記所定の網点判定パターンを用いた判定を行うことを特徴とする画像処理方法。
【請求項９】
所定の解像度の入力画像信号の各画素信号を２値化するフィルタリングモジュールと、前記２値化された各画素信号のうちの注目画素が網点領域を構成するか否かを所定の網点判定パターンを用いて判定する網点判定モジュールとを備える画像処理方法において、
前記網点判定モジュールは、前記入力画像信号の解像度に基づいて前記２値化された各画素信号に間引き処理を行う間引きモジュールと、前記注目画素の座標位置に関して前記間引き処理が行われた画素信号に対して前記所定の網点判定パターンを用いた判定を行う判定モジュールを備えることを特徴とする画像処理プログラム。
【請求項１０】
所定の解像度の入力画像信号の各画素信号を２値化するフィルタリングモジュールと、前記２値化された各画素信号のうちの注目画素が網点領域を構成するか否かを所定の網点判定パターンを用いて判定する網点判定モジュールとコンピュータに実行させる画像処理プログラムにおいて、
前記網点判定モジュールは、前記注目画素に関して前記２値化された各画素信号に対して前記所定の網点判定パターンを用いた判定を行い、次いで、前記注目画素に隣接した画素に関して前記２値化された各画素信号に対して前記所定の網点判定パターンを用いた判定を行うことを特徴とする画像処理プログラム。
【請求項１１】
請求項９記載の画像処理プログラムを格納するコンピュータ読取り可能な記憶媒体。
【請求項１２】
請求項１０記載の画像処理プログラムを格納するコンピュータ読取り可能な記憶媒体。
【発明の詳細な説明】
【技術分野】
【０００１】
本発明は、画像処理装置及び方法に関し、特に、入力される画像信号を像域分離し、その分離結果に基づき画像処理を行う画像処理装置及びその方法、並びにプログラム及び記憶媒体に関する。
【背景技術】
【０００２】
従来、原稿をスキャナ部によって読み取り、得られた画像データに様々な画像処理を施した上でプリンタ部で出力するデジタルカラー複写機が知られている。この複写機は、文字や網点画像が混在する原稿をコピーする場合、スキャナ部から入力される画像データに様々な処理、例えば、文字部分をシャープに出力するために画像データにシャープネスを施すフィルタ処理を行う。しかし、このフィルタ処理を網点画像部に施すとモアレ縞が発生する。
【０００３】
そこで、多くのカラー複写機では、文字領域と網点領域とを画素単位で像域分離して原稿画像に応じたフィルタ処理が選択できるように構成されている（例えば、特許文献１参照）。
【０００４】
図９は、従来の画像形成装置の像域分離部の構成を概略的に示す図である。
【０００５】
図９において、従来の画像形成装置の像域分離部は、画像信号１が入力されると共に、特性が夫々異なる空間フィルタ９０１，９０２，９０３と、空間フィルタ９０１に接続された文字判定部９０４と、空間フィルタ９０２に接続された網点判定部９０５と、空間フィルタ９０３に接続された網点内文字判定部９０６と、文字判定部９０４、網点判定部９０５、及び網点内文字判定部９０６に夫々接続されたルックアップテーブル部９０７とを備える。
【０００６】
空間フィルタ９０１は、文字判定を行うために所望の空間周波数成分を強調し、文字判定部９０４にエッジ強調された画像信号２を出力する。文字判定部９０４は、画像信号２を文字判定処理して文字判定信号５をルックアップテーブル９０７に出力する。
【０００７】
空間フィルタ９０２は、網点判定を行うために所望の空間周波数成分を強調し、網点判定部９０５にエッジ強調された画像信号３を出力する。網点判定部９０５は、画像信号３を網点判定処理して網点判定信号６をルックアップテーブル９０７に出力する。
【０００８】
同様に、空間フィルタ９０３は、網点内文字判定を行うために所望の空間周波数成分を強調し、網点内文字判定部９０６にエッジ強調された画像信号４を出力する。網点内文字判定部９０６は、画像信号４を網点内文字判定処理して網点内文字判定信号７をルックアップテーブル９０７に出力する。
【０００９】
ルックアップテーブル９０７は、文字判定部９０４、網点判定部９０５、及び網点内文字判定部９０６からの各出力信号をルックアップテーブルを用いて変換し、変換された像域判定信号８を出力する。この像域判定信号８は入力画像信号１と同じ解像度である。
【００１０】
上記のような複写機には、近年、その高画質化のために、特にプリンタエンジンの解像度を増大させる要求が高く、複写機の高画質化は、スキャナの高解像度化や、スキャナの解像度はそのままでもプリンタの高解像度化により行われている。
【特許文献１】特開平８−６５５１４号公報
【発明の開示】
【発明が解決しようとする課題】
【００１１】
しかしながら、このような場合、スキャナからの高解像度画像又は高解像度に解像度変換された画像の画像信号１が像域分離部が各空間フィルタ９０１，９０２，９０３に入力されたときに、特に網点判定部９０５に関しては、一定の大きさをもつ網点が対象であるので、入力画像信号１の解像度に対応する専用の判定回路が必要となり、汎用性が乏しく、開発コストの増加を招いている。
【００１２】
本発明の目的は、画像信号の高解像度化に際して網点判定部の汎用性を向上させることができる画像処理装置及び方法、並びにプログラム及び記憶媒体を提供することにある。
【課題を解決するための手段】
【００１３】
上記目的を達成するために、請求項１記載の画像処理装置は、所定の解像度の入力画像信号の各画素信号を２値化するフィルタと、前記２値化された各画素信号のうちの注目画素が網点領域を構成するか否かを所定の網点判定パターンを用いて判定する網点判定手段とを備える画像処理装置において、前記網点判定手段は、前記入力画像信号の解像度に基づいて前記２値化された各画素信号に間引き処理を行う間引き手段と、前記注目画素の座標位置に関して前記間引き処理が行われた画素信号に対して前記所定の網点判定パターンを用いた判定を行う判定手段を備えることを特徴とする。
【００１４】
請求項４記載の画像処理装置は、所定の解像度の入力画像信号の各画素信号を２値化するフィルタと、前記２値化された各画素信号のうちの注目画素が網点領域を構成するか否かを所定の網点判定パターンを用いて判定する網点判定手段とを備える画像処理装置において、前記網点判定手段は、前記注目画素に関して前記２値化された各画素信号に対して前記所定の網点判定パターンを用いた判定を行い、次いで、前記注目画素に隣接した画素に関して前記２値化された各画素信号に対して前記所定の網点判定パターンを用いた判定を行うことを特徴とする。
【００１５】
請求項５記載の画像処理方法は、所定の解像度の入力画像信号の各画素信号を２値化するフィルタリングステップと、前記２値化された各画素信号のうちの注目画素が網点領域を構成するか否かを所定の網点判定パターンを用いて判定する網点判定ステップとを備える画像処理方法において、前記網点判定ステップは、前記入力画像信号の解像度に基づいて前記２値化された各画素信号に間引き処理を行う間引きステップと、前記注目画素の座標位置に関して前記間引き処理が行われた画素信号に対して前記所定の網点判定パターンを用いた判定を行う判定ステップを備えることを特徴とする。
【００１６】
請求項８記載の画像処理方法は、所定の解像度の入力画像信号の各画素信号を２値化するフィルタリングステップと、前記２値化された各画素信号のうちの注目画素が網点領域を構成するか否かを所定の網点判定パターンを用いて判定する網点判定ステップとを備える画像処理方法において、前記網点判定ステップは、前記注目画素に関して前記２値化された各画素信号に対して前記所定の網点判定パターンを用いた判定を行い、次いで、前記注目画素に隣接した画素に関して前記２値化された各画素信号に対して前記所定の網点判定パターンを用いた判定を行うことを特徴とする。
【００１７】
請求項９記載の画像処理プログラムは、所定の解像度の入力画像信号の各画素信号を２値化するフィルタリングモジュールと、前記２値化された各画素信号のうちの注目画素が網点領域を構成するか否かを所定の網点判定パターンを用いて判定する網点判定モジュールとを備える画像処理方法において、前記網点判定モジュールは、前記入力画像信号の解像度に基づいて前記２値化された各画素信号に間引き処理を行う間引きモジュールと、前記注目画素の座標位置に関して前記間引き処理が行われた画素信号に対して前記所定の網点判定パターンを用いた判定を行う判定モジュールを備えることを特徴とする。
【００１８】
請求項１０記載の画像処理プログラムは、所定の解像度の入力画像信号の各画素信号を２値化するフィルタリングモジュールと、前記２値化された各画素信号のうちの注目画素が網点領域を構成するか否かを所定の網点判定パターンを用いて判定する網点判定モジュールとコンピュータに実行させる画像処理プログラムにおいて、前記網点判定モジュールは、前記注目画素に関して前記２値化された各画素信号に対して前記所定の網点判定パターンを用いた判定を行い、次いで、前記注目画素に隣接した画素に関して前記２値化された各画素信号に対して前記所定の網点判定パターンを用いた判定を行うことを特徴とする。
【００１９】
請求項１１記載の記憶媒体は、請求項９記載の画像処理プログラムを格納する。
【００２０】
請求項１２記載の記憶媒体は、請求項９記載の画像処理プログラムを格納する。
【発明の効果】
【００２１】
本発明によれば、注目画素の座標位置に関して入力画像信号の解像度に基づいて間引き処理が行われた画素信号に対して所定の網点判定パターンを用いた判定を行うので、画像信号の高解像度化に際して網点判定部の汎用性を向上させることができる。
【００２２】
また、本発明によれば、注目画素に関して２値化された各画素信号に対して所定の網点判定パターンを用いた判定を行い、次いで、注目画素に隣接した画素に関して２値化された各画素信号に対して所定の網点判定パターンを用いた判定を行うので、画像信号の高解像度化に際して網点判定部の汎用性を向上させることができる。
【発明を実施するための最良の形態】
【００２３】
以下、本発明の実施の形態を図面を参照しながら詳述する。
【００２４】
図１は、本発明の実施の形態に係る画像処理装置の網点判定ユニットの構成を概略的に示す図である。
【００２５】
図１の網点判定ユニットは、画像信号が入力される空間フィルタ１０１と、空間フィルタ１０１に接続されたメモリコントローラ１０２と、メモリコントローラ１０２に接続された図２につき後述する網点判定部１０４と、メモリコントローラ１０２に接続され、画像処理信号を一時的に記憶するメモリ１０３とを備える。
【００２６】
空間フィルタ１０１は、網点判定を行うために画像信号を二値化処理して１bitの信号に変換し、所望周波数成分の強調・抽出を行ってエッジ強調された画像信号を出力する。
【００２７】
メモリコントローラ１０２は、エッジ強調された画像信号をメモリ１０３に一時的に記憶させ、注目画素の二次元的な座標位置に基づいて、周辺画素の画像信号を選択して、メモリ１０３から読み出して網点判定部１０４に出力する。メモリ１０３は、ラインメモリとして記憶を行うので、画像信号が２倍の解像度の場合、２倍のメモリ容量を要し、以降の全てのメモリにも２倍のメモリ容量を要する。
【００２８】
網点判定部１０４は、図２を用いて詳述するが、出力として網点判定信号を出力する。網点判定処理はどの解像度であっても、各画素を注目画素として扱い、出力される網点判定信号は入力画像信号と同一の解像度を有する。
【００２９】
図２は、図１における網点判定部１０４の構成を概略的に示す図である。
【００３０】
図２において、網点判定部１０４は、画像信号が入力される間引き処理部２０１と、間引き処理部２０１に接続された低線用網点判定部２０２と、間引き処理部２０１に接続された高線用網点判定部２０３と、低線用網点判定部２０２及び高線用網点判定部２０３の組に接続され、網点判定に使用する画像信号を一時的に記憶するメモリ２０４とを備える。
【００３１】
間引き処理部２０１は、網点判定部１０４が通常の解像度で機能している網点判定処理に対し、通常の整数倍の解像度の画像信号が入力した際に、網点判定パターンの面積、判定基準を変えずに位置のみを変えて判定することにより、１つのアルゴリズム及び判定回路で複数の解像度をもつ画像に対して網点判定処理を行えるようにするためのものである。
【００３２】
例えば、解像度が通常の２倍の画像信号の場合の間引き処理がなされる画像信号を図３に示し、注目画素が“１２６”の場合の間引き処理後の画像信号を図４に示す。
【００３３】
図３において、主走査方向に対して注目画素の信号と、注目画素の周りの信号を…，“４”，“６”，“８”，“１０”，“１２”…というように、１つおきに選択して読み出す。また、副走査方向に対しても、注目画素の信号と、注目画素の周りの信号を…， “８２”，“１２２”，“１６２”，“２０２”，“２４２”…というように、１つおきに読み出す。次に注目画素が主走査方向又は副走査方向に１画素分移った場合も同様に注目画素の信号と、注目画素の周りの信号を１つおきに読み出す。例えば注目画素が主走査方向“１２６”から“１２７”に移動した場合には主走査方向に対して…，“５”，“７”，“９”，“１１”，“１３”…というように１つおきに読み出す。また、注目画素が副走査方向“１２６”から“１４６”に移動した場合には副走査方向に対して“９２”，“１３２”，“１７２”，“２１２”，“２５２”…というように、１つおきに読み出す。このように、間引き処理部２０１は通常の２倍の解像度の１つ１つの画素を注目画素として、その周辺画素の画像信号を１つおきに選択して網点判定部１０５に送ることにより、網点判定部１０４は通常の解像度用の判定回路でありながら、通常の２倍の解像度の画像に対して、広い範囲を参照することができる。
【００３４】
低線用網点判定部２０２は、間引き処理部２０１で間引いた画像信号に対して、低線用網点判定を例えば図５(１)の判定パターンを用いて行う。例えば、１２００ｄｐｉの間引き処理が実行された画像信号を図６のように判定パターンに用いることで通常の解像度の画像で使用した網点判定パターンを２倍の解像度の画像にも利用可能である。
【００３５】
ここで、１つの判定パターンは、内側領域と外側領域から成り、抽出された画像信号に対して、内側内の黒画素の合計が外側領域内のものよりも一定以上多ければ、白地に黒点が孤立、外側領域内の黒画素の合計が内側エリア内のものよりも一定以上多ければ、黒地に白点が孤立していると判定する。
【００３６】
この両方の孤立量判定のいずれかに該当すれば「孤立している」、つまり、「網点らしい」と判定され、判定信号として「１」を出力し、該当しない場合は判定信号として「０」を出力する。
【００３７】
また、この判定パターンは低線数の網点に対して複数用意されている。これらのパターンマッチングにより、低線数用網点判定信号を出力する。
【００３８】
高線用網点判定部２０３は、間引き処理部２０１で間引いた画像信号に対して、高線用網点判定を例えば図５(２)の判定パターンを用いて行い、低線用網点判定部２０２と同様な孤立量判定を行う。また、この判定パターンも高線数の網点に対して複数用意されている。これらのパターンマッチングにより、高線数用網点判定信号を出力する。
【００３９】
メモリ２０４は、低線用判定部２０２と高線用判定部２０３で網点判定を行う際、その一度判定を行った結果を再び使用するために一時的に記憶する。メモリ２０４の機能を、例えば図７で説明すると、注目画素がｆの場合、判定パターンは画像信号ａ〜ｋで、その合計で網点判定をすると仮定すると、先にｂ，ｆ，ｊの合計をメモリ２０３（１）に記憶しておき、同様にｃ，ｇ，ｋの合計をメモリ２０３（２）に記憶しておく。次に注目画素がｆからｇに主走査方向に１画素分移動した場合、記憶したメモリ２０３（１）、メモリ２０３（２）の内容を利用し網点判定を行う。勿論、違うパターンを用いる場合においても同様に一度判定した結果を利用できる。
【００４０】
このように、入力画像の解像度に応じて、注目画素とその周辺画素を選択して網点判定を行うことにより、入力画像が通常画像のn倍の解像度であっても、回路規模の小さい通常の解像度用の網点判定部を、網点判定パターンの面積や判定基準を変えずに位置のみを変えることにより、汎用的に用いて、ｎ倍の解像度の画像信号を順次走査して出力の網点判定信号の解像度を落とすことなく網点判定が可能となる。
【００４１】
また、上記の説明では、入力画像が通常の解像度の場合と、２倍の解像度の場合に対して、通常の解像度の網点判定回路を用いて網点判定を行う例を説明したが、例えば４倍の解像度からから通常の解像度へ等、解像度を落とす方向にエッジ抽出信号の選択を行えば、同様に網点判定を行うことが可能となる。
【００４２】
図８は、図２の網点判定ユニットの変形例の構成を概略的に示す図である。
【００４３】
図８の網点判定ユニットは、図２の網点判定ユニットを備え、その構成要素のうち、図２の網点判定ユニットと同じものには、同一符号を付してその説明を省略する。
【００４４】
図８の網点判定ユニットは、図２の網点判定ユニットに加えて、さらに、画像信号が直接入力され、低線用網点判定部２０２と同様の低線用網点判定部４０２と、画像信号が直接入力され、高線用網点判定部２０３と同様の高線用網点判定部４０３と、低線用網点判定部４０２及び高線用網点判定部４０３の組に接続され、網点判定に使用する画像信号を一時的に記憶するメモリ４０４とを備える。
【００４５】
低線用網点判定部２０１は、網点判定信号Ａを出力し、高線用網点判定部２０２は、網点判定信号Ｂを出力し、低線用網点判定部４０２は、網点判定信号Ｃを出力し、高線用網点判定部４０３は網点判定信号Ｄを出力する。
【００４６】
本変形例は、上記実施の形態における間引き処理を行う網点判定方法に、間引き処理を行わない網点判定方法を加えたものである。これにより、上記実施の形態では、高線用網点信号と低線用網点信号の２種類の判定であったものが、網点判定信号Ａと網点判定信号Ｂと網点判定信号Ｃと網点判定信号Ｄの４種類の判定が可能になり、より細かい分類を行うことができる。
【００４７】
低線用網点判定部４０２は、低線用網点判定部２０２と同様の構成であり、また、画像信号の間引き処理を行わないことにより、例えば上記実施の形態では、高線用網点判定信号で１５０〜２００の線数、低線用網点判定信号で８０-１５０の線数での２種類の判定結果のみであるが、本変形例では、３００〜４００の線数と１６０〜３００の線数といったさらに２倍の線数での判定も可能となり、４種類の判定結果が得ることが可能である。広い領域の線数を判定できる例を用いたが、勿論、例えば８０〜４００の範囲を８０〜２００の範囲の線数を判定するようにパラメータを変更することによって１つ１つの網点判定信号が持つ線数の範囲をせばめることができる。
【００４８】
また、本発明の目的は、上記実施形態の機能を実現するソフトウェアのプログラムコードを記録した記憶媒体（又は記録媒体）を、システム或いは装置に供給し、そのシステム又は装置のコンピュータ（又はＣＰＵやＭＰＵ）が記憶媒体に格納されたプログラムコードを読み出し実行することによっても、達成されることは言うまでもない。
【００４９】
この場合、記憶媒体から読み出されたプログラムコード自体が前述した実施形態の機能を実現することになり、そのプログラムコードを記憶した記憶媒体は本発明を構成することになる。
【００５０】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部又は全部を行い、その処理によって前述した実施形態の機能が実現される場合も含まれることは言うまでもない。
【００５１】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部又は全部を行い、その処理によって前述した実施形態の機能が実現される場合も含まれることは言うまでもない。
【００５２】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００５３】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【産業上の利用可能性】
【００５４】
本発明は、複数の機器（例えばホストコンピュータ、インタフェイス機器、リーダ、プリンタなど）から構成されるシステムに適用しても、１つの機器からなる装置（例えば、複写機、ファクシミリ装置など）に適用することができる。
【図面の簡単な説明】
【００５５】
【図１】本発明の実施の形態に係る画像処理装置の網点判定ユニットの構成を概略的に示す図である。
【図２】図１における網点判定部の構成を概略的に示す図である。
【図３】図２における間引き処理部によって間引き処理が実行される画像信号の図であり、解像度が通常の２倍の場合を示す。
【図４】図２における間引き処理部によって間引き処理が実行された画像信号の図であり、注目画素が“１２６”の場合を示す。
【図５】図２における間引き処理部によって間引き処理が実行された画像信号の判定パターンを説明するのに用いられる図であり、（ａ）は、低線数判定パターンの場合を示し、（ｂ）は、高線数判定パターンの場合を示す。
【図６】図２における間引き処理部によって１２００ｄｐｉの間引き処理が実行された画像信号の図である。
【図７】図２におけるメモリの機能を説明するのに用いられる図である。
【図８】図２の網点判定ユニットの変形例の構成を概略的に示す図である。
【図９】従来の画像形成装置の像域分離部の構成を概略的に示す図である。
【符号の説明】
【００５６】
１０１  空間フィルタ
１０２  メモリコントローラ
１０３  メモリ
１０４  網点判定部
２０１  間引き処理部
２０２  低線用網点判定部
２０３  高線用網点判定部
２０４  メモリ
４０２  低線用網点判定部
４０３  高線用網点判定部
４０４  メモリ
【図１】
2006157456.tif 000003
【図２】
2006157456.tif 000004
【図３】
2006157456.tif 000005
【図４】
2006157456.tif 000006
【図５】
2006157456.tif 000007
【図６】
2006157456.tif 000008
【図７】
2006157456.tif 000009
【図８】
2006157456.tif 000010
【図９】
2006157456.tif 000011